(57)【要約】【課題】簡易な操作で所望の装飾状態に容易に変更し得る装飾装置を提供する。【解決手段】操作スイッチ１０は、装飾本体２０において、外面側から係止手段５０に向かって延び、係止手段５０に作用を及ぼす操作部材Ｔを挿入可能な操作口２４が形成されている。係止手段５０は、操作口２４に挿入される操作部材Ｔによって作用が及ぼされることで、引張りばね６０による付勢に抗して係止位置から解除位置に変位し、副装飾体７０の装飾本体２０との係止を解除する。【選択図】図７
2020000593.tif 000002
【特許請求の範囲】
【請求項１】
本体枠の前面側に設けられ、外部から視認可能な装飾装置であって、
装飾本体と、
前記装飾本体に組み付け可能な副装飾体と、
前記装飾本体に可動自在に組み付けられ、前記副装飾体に係止する係止位置と、前記副装飾体への係止を解除する解除位置と、に変位可能な係止手段と、
前記係止手段を前記解除位置から前記係止位置に向かう方向に付勢する付勢手段と、
を備え、
前記装飾本体は、外面側から前記係止手段に向かって延び、前記係止手段に作用を及ぼす操作部材を挿入可能な操作口が形成され、
前記係止手段は、前記操作口に挿入される前記操作部材によって作用が及ぼされることで、前記付勢手段による付勢に抗して前記係止位置から前記解除位置に変位し、前記副装飾体の前記装飾本体との係止を解除することを特徴とする装飾装置。
【請求項２】
前記係止手段は、前記係止位置から前記解除位置に変位する際に、前記副装飾体に接触して前記副装飾体を前記装飾本体から離脱する方向に誘導する補助部を有することを特徴とする請求項１に記載の装飾装置。
【請求項３】
前記操作口を閉塞する閉塞部材を備えることを特徴とする請求項１又は請求項２に記載の装飾装置。
【請求項４】
前記閉塞部材は、前記操作部材により破損し得る薄肉部を備えることを特徴とする請求項３に記載の装飾装置。
【請求項５】
前記装飾本体は、前記副装飾体によって閉塞される外側に開放された収容開口部が形成された収容部を有し、
前記副装飾体は、前記係止手段が前記係止位置に位置するときに前記収容開口部を閉塞し、前記係止手段が前記解除位置に位置するときに、前記収容開口部を開放することを特徴とする請求項１から請求項４のいずれか一項に記載の装飾装置。
【請求項６】
前記副装飾体は、前記収容部に少なくとも一部が収容されることを特徴とする請求項５に記載の装飾装置。
【請求項７】
前記副装飾体は、
前記係止手段が係止する副装飾本体と、
前記副装飾本体に係合するカバー体と、
前記副装飾本体と前記カバー体とによって挟持される装飾体と、
を有することを特徴とする請求項１から請求項６のいずれか一項に記載の装飾装置。
【請求項８】
請求項１から請求項７のいずれか一項に記載の装飾装置を備えることを特徴とする遊技機。
【発明の詳細な説明】
【技術分野】
【０００１】
本発明は、装飾装置及びそれを備えた遊技機に関する。
【背景技術】
【０００２】
従来の遊技機では、機種変更において、経費節減の観点から遊技盤のみを異なるデザインのものに交換することが行われていた。例えば、特許文献１の遊技機は、機種変更の際に、機種別部材として設定されたパネル部材（上パネル及び下パネル）を交換する構成となっている。また、特許文献２の遊技機は、遊技客に対してアピールするように前扉の前面における右部に設けられた装飾パネル部に収容する装飾パネルを交換可能にして、装飾パネルのデザインを機種変更後の遊技機に対応させる構成となっている。
【先行技術文献】
【特許文献】
【０００３】
【特許文献１】特開２００５−１５２４８３号公報
【特許文献２】特開２０１３−６６５８４号公報
【発明の概要】
【発明が解決しようとする課題】
【０００４】
しかしながら、従来の装飾パネルの交換は、シリンダ錠を解除して前扉を開放する必要があり手間が掛かり、しかも前扉を開放した不安定な状態で装飾パネルの交換作業を行わなければならず煩雑なものになっていた。また、遊技盤のデザインが変わっても、装飾パネルの交換のみを行う構成であるため、遊技機の外側を構成する枠体などの装飾の形状に変化がないため、機種変更をしても遊技者に対するインパクトが小さく、遊技内容と枠体の装飾イメージとの間において違和感を覚える虞があった。
【０００５】
本発明は、上述した課題を解決するためになされたものであり、簡易な操作で所望の装飾状態に容易に変更し得る装飾装置を提供することを目的とする。
【課題を解決するための手段】
【０００６】
本発明の装飾装置は、
本体枠の前面側に設けられ、外部から視認可能な装飾装置であって、
装飾本体と、
前記装飾本体に組み付け可能な副装飾体と、
前記装飾本体に可動自在に組み付けられ、前記副装飾体に係止する係止位置と、前記副装飾体への係止を解除する解除位置と、に変位可能な係止手段と、
前記係止手段を前記解除位置から前記係止位置に向かう方向に付勢する付勢手段と、
を備え、
前記装飾本体は、外面側から前記係止手段に向かって延び、前記係止手段に作用を及ぼす操作部材を挿入可能な操作口が形成され、
前記係止手段は、前記操作口に挿入される前記操作部材によって作用が及ぼされることで、前記付勢手段による付勢に抗して前記係止位置から前記解除位置に変位し、前記副装飾体の前記装飾本体との係止を解除することを特徴とする。
【０００７】
本発明の遊技機は、上記装飾装置を備えていることを特徴とする。
【発明の効果】
【０００８】
本発明の装飾装置は、装飾本体に可動自在に組み付けられる係止手段が、係止位置で副装飾体に係止する。また、付勢手段は、係止手段を解除位置から係止位置に向かう方向に付勢する。そのため、副装飾体は、係止手段を介して装飾本体に安定して組み付けられる。一方で、操作部材の操作によって、係止手段を付勢手段による付勢に抗して係止位置から解除位置に変位させて、係止手段の副装飾体への係止を解除することができる。そのため、副装飾体を装飾本体から取り外し、異なるデザインの副装飾体を新たに装飾本体に組み付けることができる。特に、操作部材を装飾本体の操作口に挿入して係止手段に作用を及ぼすのみで、係止手段を係止位置から解除位置に変位させることができるため、容易に副装飾体を装飾本体から取り外すことができる。したがって、装飾装置は、簡易な操作で所望の装飾状態に変更することができる。
【０００９】
本発明の装飾装置は、係止手段が、係止位置から解除位置に変位する際に、副装飾体に接触して副装飾体を装飾本体から離脱する方向に誘導する補助部を有していてもよい。
【００１０】
この構成によれば、係止手段を係止位置から解除位置に変位させて副装飾体を装飾本体から取り外す際に、補助部が副装飾体に接触して、副装飾体を装飾本体から離脱する方向に誘導させることができる。そのため、副装飾体の交換作業は、副装飾体が装飾本体から離脱した状態で行うことができるため、より一層容易に交換作業を行うことができる。
【００１１】
本発明の装飾装置は、操作口を閉塞する閉塞部材を備えていてもよい。
【００１２】
この構成によれば、操作口の操作開口部を閉塞部材で閉塞することで、操作口を隠蔽し、副装飾体の交換目的以外などで操作部材を操作口に挿入して係止手段の解除操作が行われて、不正に副装飾体が装飾本体から取り外されることを防ぐことができる。
【００１３】
本発明の装飾装置は、閉塞部材が、操作部材により破損し得る薄肉部を備えるのが好ましい。
【００１４】
この構成によれば、不正操作ではない通常の副装飾体の交換時には、閉塞部材を破損させ易く、操作部材を操作口に容易に挿入して係止手段に作用を及ぼして、副装飾体の取り外しを行うことができる。一方で、不正操作によって閉塞部材が破損させられた場合には、閉塞部材の破損状態を確認することで、不正操作が行われたことを瞬時に把握することができる。
【００１５】
本発明の装飾装置は、装飾本体が、副装飾体によって閉塞される外側に開放された収容開口部が形成された収容部を有していてもよい。副装飾体は、係止手段が係止位置に位置するときに収容開口部を閉塞し、係止手段が解除位置に位置するときに、収容開口部を開放してもよい。
【００１６】
この構成によれば、装飾本体に組み付けられた副装飾体によって収容部の収容開口部を閉塞することができるため、収容開口部を閉塞するために別途部材を設ける必要がなく、部材点数を削減することができる。
【００１７】
本発明の装飾装置は、副装飾体の少なくとも一部が収容部に収容されていてもよい。
【００１８】
この構成によれば、装飾装置は、副装飾体の少なくとも一部が収容部に収容されることで、装飾本体の内部を利用した装飾が可能になる。
【００１９】
本発明の装飾装置は、副装飾体が、係止手段が係止する副装飾本体と、副装飾本体に係合するカバー体と、副装飾本体とカバー体とによって挟持される装飾体と、を有していてもよい。
【００２０】
この構成によれば、装飾状態を変更する際に、副装飾体の一部を構成する装飾体のみを交換するだけで装飾装置のデザインを変更することができる。そのため、交換点数の削減が可能であり、装飾状態の変更を容易に行うことができる。
【図面の簡単な説明】
【００２１】
【図１】図１は、本発明に係る遊技機を例示する斜視図である。
【図２】図２（Ａ）は、本発明の第１実施形態に係る操作スイッチを前方側且つ斜め上方側から見た斜視図であり、図２（Ｂ）は、前方側且つ斜め下方側から見た斜視図である。
【図３】図３は、図２の操作スイッチの前方側且つ斜め上方側から見た一部分解斜視図である。
【図４】図４は、図３の副装飾体の前方側且つ斜め上方側から見た分解斜視図である。
【図５】図５は、図２に示す操作スイッチにおいて装飾本体と副装飾体との係止状態を示す側断面図である。
【図６】図６は、図２の操作スイッチにおいて装飾本体と副装飾体との係止状態を図５と異なる位置で切断して示す側断面図である。
【図７】図７は、図５に示す操作スイッチにおいて係止手段が解除位置に位置する状態を示す側断面図である。
【図８】図８は、図５に示す操作スイッチに閉塞部材が組み付けられた状態を説明する側断面図である。
【図９】図９（Ａ）は、本発明の第２実施形態に係る装飾パネルにおいて係止手段が係止位置に位置する状態を示す側断面図であり、図９（Ｂ）は、係止手段が解除位置に位置する状態を示す側断面図である。
【発明を実施するための形態】
【００２２】
[第１実施形態]
以下、本発明に係る装飾装置及びそれを備えた遊技機を具現化した第１実施形態について、図面を参照して説明する。
【００２３】
図１に示すように、遊技機（パチンコ機）１は、その外郭を形成する本体枠２を備えている。本体枠２は、額縁状の外枠３と、外枠３にヒンジ部を介して前面側に向かって片開き可能に支持される内枠４と、同様に内枠４にヒンジ部を介して前面側に向かって片開き可能に支持される前枠５と、を備えている。内枠４には、図示しないガイドレールにより前面側に遊技領域が形成された遊技盤が装着され、その遊技盤の下方に遊技領域に向けて遊技球を発射する球発射装置（図示略）が設けられている。
【００２４】
前枠５は、遊技盤の遊技領域に対応した窓部５Ａが厚み方向に貫通形成されて開口している。そして、前枠５の後面側には、窓部５Ａを閉塞するように透明板５Ｂが配置され、前枠５が内枠４に対して閉状態のときに透明板５Ｂを介して遊技領域を視認可能としている。また、前枠５の前面下側には、貸球や賞球等の遊技球を一時的に貯留し、その貯留した遊技球を整流して球発射装置に供給する球受皿６と、球発射装置が遊技球を発射する発射力を調節するための発射ハンドル８とが設けられている。そして、球受皿６の上面には、遊技者が操作可能なように球受皿６の外壁部７から少なくとも一部が露出する構成で操作スイッチ１０が設けられている。また、前枠５の上部にはスピーカーを備えた装飾ランプ９が設けられ、前枠５における前面側の右側縁部には、装飾パネル１１０が前方に突出して設けられている。なお、装飾装置として詳しく後述する操作スイッチ１０及び装飾パネル１１０は、本体枠２の前面側に設けられ、外部から視認可能である。
【００２５】
本明細書では、透明板５Ｂの前面と直交する方向が前後方向であり、遊技者側を前方側、遊技盤側（遊技機１の奥側）を後方側としている。図１の例では、図示しない遊技盤の盤面と直交する方向が前後方向となっている。また、透明板５Ｂに沿う態様で遊技領域が構成され、この遊技領域において遊技球が流下する方向を上下方向としている。図１の例では、鉛直方向が上下方向となっている。また、これら前後方向及び上下方向と直交する方向を左右方向としている。なお、以下では、操作スイッチ１０の説明は、図１の起立位置にあるときの状態で上記した上下方向、前後方向、及び左右方向を用いて行う。
【００２６】
操作スイッチ１０について詳しく説明する。
操作スイッチ（本発明の「装飾装置」に相当）１０は、図１、２に示すように、押圧式及びレバー式を備えたスイッチであり、遊技機１において待機状態を含む遊技状態に応じて、遊技者による外部操作が可能なように設けられている。操作スイッチ１０は、図３に示すように、装飾本体２０、ベースユニット４０、係止手段５０、引張りばね（本発明の「付勢手段」に相当）６０、副装飾体７０、及び閉塞部材８０（図７参照）を備えており、副装飾体７０が押圧式スイッチの押圧部となっている。
【００２７】
ベースユニット４０は、図１に示すように、球受皿６の前面側に取り付けられ、図２に示すように、装飾本体２０を保持している。ベースユニット４０は、装飾本体２０を保持するコ字状の保持部４１を備え、回動軸４２を中心に装飾本体２０が傾動動作するように支持している。回動軸４２にはねじりばね４３が巻装され、装飾本体２０を図２に示す起立状態に付勢するように構成されている。
【００２８】
装飾本体２０は、ベースユニット４０に傾動自在に保持されている。装飾本体２０は、図２に示すように、遊技者が把持する把持部２１と、把持部２１を下方から支持する基部２２とを備えている。把持部２１は、ベース部２３と装飾カバー部２６の上下二部材により遊技者が掴み易いように平面視で略縦長楕円形の中空状に形成されている。装飾カバー部２６には、図３に示すように、上面において上方に開口する収容開口部２１Ａが形成されている。把持部２１の内部には支持部２７（図５参照）が配置され、後述する昇降部材３０を昇降可能に支持する。基部２２の下端は、操作スイッチ１０が所定の範囲内で傾動するように回動軸４２に軸支されている。
【００２９】
昇降部材３０は、図３、５、６に示すように、把持部２１の収容開口部２１Ａと略同じ外形の板状の底壁部３１の縁部から後方の一部を除いて所定の高さで立ち上がる周壁部３２を備えた皿状に形成されている。昇降部材３０は、支持部２７に対して所定の範囲内で相対的に変位可能に配置されている。昇降部材３０と支持部２７との間には、３つのばね部材３０Ａが介在している。昇降部材３０は、ばね部材３０Ａによって、支持部２７から離れる方向に移動させる付勢力が付与されており、外部から押圧力が付与されていないときには、図５、６で示す位置に保たれるようになっている。
【００３０】
昇降部材３０は、図３に示すように、底壁部３１には３つのばね部材３０Ａ（図５参照）のそれぞれに対応して底壁部３１の上面から上方に突出する円柱状の３つの突出部３３と、一対の突起部３４と、一対の突起部３４の間に位置する係止片３６と、操作部材Ｔが通過する内側開口部３７と、一対の長溝部３８が形成されている。突出部３３は、図５に示すように、突出方向に貫通する貫通孔３３Ｃが形成されると共に、ばね部材３０Ａの一端（上端）が収納される収容部３３Ｂが形成されている。そして、下端部が支持部２７に固定された軸部材２７Ａが貫通孔３３Ｃに挿通された状態でフランジを介して締結部材３３Ｄ（ねじなど）が取り付けられ、昇降部材３０は、支持部２７に対して一定の距離以上に離間することが規制される。これにより、昇降部材３０は、軸部材２７Ａの軸方向に移動自在に設けられ、ばね部材３０Ａによって上動位置に付勢されている。また、昇降部材３０の下面には検知片３５が設けられ、押圧式スイッチとして機能する際に、副装飾体７０の押圧状態を支持部２７に設けられた検知スイッチ２７Ｂで検知するようにしている。ここで、操作部材Ｔは、例えば、ホールで球詰まりを解除する際に使用する針金のような細長い部材、ドライバー、またはラジオペンチなどである。
【００３１】
突起部３４，３４は、図３に示すように、中心にビス孔を有する略円柱状に形成されている。突起部３４，３４は、底壁部３１のほぼ中央に所定の間隔をもって前後に位置して形成されている。係止片３６は、側面視で逆Ｌ字状であり（図５参照）、上方に突出するとともに、前方側に折れ曲がる構成である。内側開口部３７は、底壁部３１の前端部において、平面視で前後方向に長い方形状に貫通して形成されている。長溝部３８は、底壁部３１の左右両端部において、下方に凹む溝または貫通溝として形成される。
【００３２】
装飾本体２０は、図３、５に示すように、昇降部材３０、及び収容開口部２１Ａによって外側（上方）に開放される収容部２０Ａが構成されている。収容部２０Ａは、後述する副装飾体７０の下端側の一部が収容される。このように、副装飾体７０は、収容部２０Ａの内部を利用した立体的な構成として装飾本体２０に組み付けることができ、装飾本体２０の内部を利用した装飾が可能になる。
【００３３】
また、装飾本体２０（把持部２１）には、図５に示すように、係止手段５０に作用を及ぼす操作部材Ｔを挿入可能な操作口２４が形成されている。操作口２４は、遊技者から視認されない把持部２１（ベース部２３）の外面側から後述する係止手段５０に向かって延びている。具体的には、操作口２４は、ベース部２３の前端部の下面から、支持部２７のガイド部２７Ｃを介して昇降部材３０の内側開口部３７に向かって延びている。操作口２４は、外側（下方）に開放された操作開口部２５が形成されている。操作開口部２５は、把持部２１（ベース部２３）の前端部の下面において上下方向に貫通するように形成されている。
【００３４】
係止手段５０は、図５、６に示すように、装飾本体２０（昇降部材３０）に可動自在に組み付けられている。係止手段５０は、副装飾体７０に係止する係止位置と、副装飾体７０への係止を解除する解除位置と、に変位可能に構成されている。係止手段５０は、図３に示すように、本体部５１、及び一対の延出部５２を備えて全体として平面視略Ｙ字状である。本体部５１は、下方に開放した細長い略直方体状で、内部に後述する引張りばね６０が収容される。一対の延出部５２は、互いに所定間隔をおいて対向するように本体部５１の後端部から後方に向かって枝分かれするように延出している。なお、一対の延出部５２は、底壁部３１の後端部に位置する突出部３３が間に位置し得るように対向している。
【００３５】
係止手段５０は、図３に示すように、本体部５１には、一対の貫通孔５３と、一対の貫通孔５３の間に位置して本体部５１内に垂下する係止片５４と、本体部５１の一端（前端）に位置する係止部５５と、係止部５５の両側に位置する一対の補助部５７と、係止部５５の下方に凹部５９（図５参照）が設けられ、一対の延出部５２には、それぞれ先端に係止部５６と、係止部５６の手前に補助部５８が形成されている。貫通孔５３，５３は、昇降部材３０の突起部３４，３４に対応して本体部５１の長尺方向中央よりも前端部寄り及び後端部に上下方向に貫通するように係止手段５０の移動方向に沿う長孔状に形成されている。
【００３６】
係止片５４は、図３及び図５に示すように、本体部５１における貫通孔５３の前端部側で隣接する位置において、本体部５１の上板下面側から下方に突出すると共に先端が後方側に折れ曲がって側面視でＬ字状に形成されている。係止部５５は、本体部５１の前端部において、係止手段５０の移動方向に沿うように、上端部が後方に向かうにつれて高位置となるように傾斜した鉤片を前方に突出している。係止部５６は、延出部５２の後端部において、係止部５５と同じように上端部が後方に向かうにつれて高位置となるように傾斜した鉤片を上方に突出している。
【００３７】
補助部５７，５８は、係止手段５０が係止位置から解除位置に変位する際に、副装飾体７０に接触して副装飾体７０を装飾本体２０から離脱する方向に誘導するように機能する。一対の補助部５７は、図３に示すように、本体部５１における係止部５５の左右両側面のそれぞれから側方に突出している。補助部５７は、前方に向かうにつれて高位置となる傾斜面を有している。補助部５８は、延出部５２の後端部に設けられる係止部５６より本体部５１寄りの位置に所定の間隔をもって、上方に突出して設けられ、補助部５７と同じように前方に向かうにつれて高位置となる傾斜面を有して形成されている。凹部５９は、図５に示すように、本体部５１の前端部における係止部５５の下方に形成され、一対の補助部５７の側面と前端側の貫通孔５３の周壁の一部を利用して、前方及び下方に開放して形成されている。凹部５９は、後述する操作部材Ｔから作用を及ぼされる部分である。
【００３８】
付勢手段としての引張りばね６０は、図５に示すように、本体部５１の内部において、一端６１が装飾本体２０の係止片３６に係止し、他端６２が係止手段５０の係止片５４に係止している。
【００３９】
係止手段５０は、付勢手段としての引張りばね６０を装着した状態で、図５に示すように、突起部３４，３４を貫通孔５３，５３に挿入して、フランジを有する締結部材５３Ｃ（ねじ等）を突起部３４，３４のビス孔に螺締めして、昇降部材３０から抜け止めされる。これにより、係止手段５０は、突起部３４，３４がそれぞれ貫通孔５３，５３にガイドされることで、装飾本体２０に対して前後方向にスライド移動可能に取付けられ、常態では引張りばね６０により、副装飾体７０との解除位置から係止位置に向かう方向に付勢されており、突起部３４，３４が貫通孔５３，５３の長孔後端に位置している。係止手段５０のスライド移動可能な距離は、貫通孔５３，５３の開口長さで規制されており、少なくとも係止部５５，係止部５６が係止孔７１Ｄ，係止段部７１Ｅとの係止を解除する距離に設定されている。
【００４０】
副装飾体７０は、装飾が施される部材であって、遊技機１の構成と関連した装飾を施すことによって演出効果を高める構成となっている。本実施の形態では、副装飾体７０は、押圧式スイッチの押圧部として機能する。副装飾体７０は、図２及び図３に示すように、装飾本体２０に対して係止手段５０の係脱により組み付け可能になっている。副装飾体７０は、図４に示すように、平面視で把持部２１の収容開口部２１Ａ（図３参照）と略同様の形状をしており、副装飾本体７１、カバー体７２、及び装飾体７３を有している。
【００４１】
副装飾本体７１は、図４に示すように、収容開口部２１Ａと略同形状の上壁部７１Ａと、上壁部７１Ａの前側の縁部から下方に延出する前側壁部７１Ｂと、上壁部７１Ａの後側の縁部から下方に延出する後側壁部７１Ｃを備えている。後側壁部７１Ｃの中央は、昇降部材３０の後端部付近の突出部３３を避けるように切り欠かれている。また、副装飾本体７１には、係止手段５０が係止する係止孔７１Ｄ及び一対の係止段部７１Ｅが形成されている。係止孔７１Ｄは、前側壁部７１Ｂの左右方向中央において、前後方向に貫通する左右方向の長孔として形成され、係止手段５０の係止部５５が係止する。一対の係止段部７１Ｅは、副装飾本体７１の後側壁部７１Ｃの切欠きの左右両端部のそれぞれにおいて前方に凹むように形成され、係止手段５０の係止部５６，５６がそれぞれ係止する。また、副装飾本体７１には、一対の延出部７１Ｆ及び一対の被補助部７１Ｈが形成されている。一対の延出部７１Ｆは、上壁部７１Ａの左右両側のそれぞれの縁部から下方に、弾性変形し得るように帯板状に延出し、側面から前後方向（幅方向）に長い係止突起部７１Ｇが形成されている。係止突起部７１Ｇは、下方に向かうにつれて突出する傾斜面を有している。被補助部７１Ｈは、係止孔７１Ｄの両側であり後方に位置して、上壁部７１Ａの前端部の下面から下方に延出しており、補助部５７の傾斜面に対向するように後方に向かうにつれて低位置となる傾斜面を有している。
【００４２】
カバー体７２は、装飾体７３が視認し得る透光性を有する樹脂により形成され、図４に示すように、上壁部７２Ａ及び上壁部７２Ａの縁部から後方を除き下方に延出する周側壁部７２Ｂを備えている。また、周側壁部７２Ｂの左右両側の端部からそれぞれ下方に、貫通孔７２Ｄが形成された突出部７２Ｃが突出している。一対の貫通孔７２Ｄは、副装飾本体７１の係止突起部７１Ｇが係合する。
【００４３】
装飾体７３は、遊技機１の構成と関連した装飾が施されており、副装飾本体７１とカバー体７２とによって挟持される。装飾体７３は、図４に示すように、副装飾本体７１と略同じ立体形状になっており、上壁部７３Ａと周側壁部７３Ｂを備えている。周側壁部７３Ｂは、下端部において外側に屈曲する屈曲部７３Ｃが形成されている。また、周側壁部７３Ｂの前方及び両側には、副装飾本体７１の係止孔７１Ｄ及び一対の係止段部７１Ｅに対応して、前方開口部７３Ｆ及び側方開口部７３Ｇが切欠き形成されている。上壁部７３Ａは、例えば、薄板面に凹凸形状を付けて３次元的な装飾を施すことによって演出効果を高めることができる。
【００４４】
副装飾体７０は、図５、６に示すように、装飾体７３を、副装飾本体７１に対して上方から覆うように組み付け、さらにカバー体７２を装飾体７３の上方から覆うように積層させて構成している。副装飾本体７１の係止孔７１Ｄは、図５に示すように、カバー体７２の周側壁部７２Ｂと前後方向で重なり、係止孔７１Ｄを隠蔽している。図示を省略するが、一対の延出部７１Ｆは、内側から突出部７２Ｃに重なり、突出部７２Ｃが係止突起部７１Ｇの傾斜面を押すことにより、延出部７１Ｆが弾性変形しつつ係止突起部７１Ｇが貫通孔７２Ｄに内側から入り込み、装飾体７３を挟持した状態で、副装飾本体７１とカバー体７２とが係合している。また、周側壁部７２Ｂの下端は、屈曲部７３Ｃに対して上方から当接している。このようにして、副装飾体７０は、装飾体７３をカバー体７２と副装飾本体７１とで挟持した状態で組み付けられる。
【００４５】
副装飾体７０は、図５、６に示すように、係止手段５０を介して装飾本体２０に組み付けられている。このとき係止手段５０は、引張りばね６０の付勢により、副装飾体７０に係止する係止位置に位置している。係止手段５０の係止部５５は、図５に示すように、副装飾体７０の係止孔７１Ｄに後方から入り込んで係止しており、係止手段５０の係止部５６は、図６に示すように、係止段部７１Ｅに後方から引っ掛かるように係止している。これにより、副装飾体７０は、係止手段５０によって、装飾本体２０に組み付けられて収容開口部２１Ａから離脱する方向（上方）への移動が規制されている。そして、係止手段５０は、引張りばね６０によって解除位置から係止位置に向かう方向に付勢されているため、副装飾体７０は、係止手段５０を介して装飾本体２０に安定して組み付けられている。また、副装飾本体７１の前側壁部７１Ｂ及び後側壁部７１Ｃの下端部は、昇降部材３０の底壁部３１の上面に当接しており、副装飾体７０への押圧力を昇降部材３０に直接的に伝達するようにしている（図６参照）。また、図示は省略するが、副装飾本体７１の一対の延出部７１Ｆの先端は、昇降部材３０の一対の長溝部３８（図３参照）にそれぞれ嵌まり込んで副装飾体７０の位置決めの役割を成している。このように副装飾体７０が装飾本体２０に組み付けられることで、副装飾体７０が昇降部材３０と一体的に昇降移動することになる。
【００４６】
副装飾体７０は、図５、６に示すように、係止手段５０が係止位置に位置するときに収容開口部２１Ａを閉塞している。副装飾体７０は、装飾本体２０（昇降部材３０）に組み付けられることで、収容開口部２１Ａを閉塞することができるため、収容開口部２１Ａを閉塞する部材を別途設ける必要がなく、部材点数を削減することができる。
【００４７】
次に、副装飾体７０の装飾本体２０からの取り外しについて説明する。
副装飾体７０は、引張りばね６０に付勢された係止手段５０により装飾本体２０に係止され収容開口部２１Ａを閉塞しており、図５に示すように、操作部材Ｔを操作開口部２５を介して操作口２４に挿入する。操作部材Ｔは、図５の一点鎖線に示すように、溝状のガイド部２７Ｃにガイドされながら操作口２４から昇降部材３０の内側開口部３７を通過して、係止手段５０の凹部５９に当接する。
【００４８】
そして、凹部５９に当接した操作部材Ｔを操作して、係止手段５０を後方（本体枠２側）へ押圧すると、図７に示すように、係止手段５０が引張りばね６０による付勢に抗して後方へ移動する。これにより、係止手段５０は、副装飾体７０との係止位置から解除位置に変位して、係止部５５は、図５に示す係止孔７１Ｄとの係止位置から後方へ抜け出て係止が解除され、係止部５６は、図６に示す係止段部７１Ｅとの係止位置から後方へ離れて係止が解除される（図７参照）。これにより、係止手段５０による副装飾体７０への係止が解除され、副装飾体７０が装飾本体２０から離脱可能になる。
【００４９】
また、係止手段５０が係止位置から解除位置に変位する際に、補助部５７，５８は、副装飾体７０に接触して副装飾体７０を装飾本体２０から離脱する方向に誘導する。具体的には、補助部５７は、図５の破線で示すように、被補助部７１Ｈと対向している状態から、後方へ移動することで、図７の破線で示すように、移動方向に対して傾斜している面で被補助部７１Ｈを上方に押し上げる。また、補助部５８は、図６で示すように、後側壁部７１Ｃから離間している状態から、後方へ移動することで、図７の破線で示すように、移動方向に対して傾斜している面で後側壁部７１Ｃを上方に押し上げる。このように、補助部５７，５８の作用により、副装飾体７０を装飾本体２０から離脱する方向（上方）に誘導する。そのため、副装飾体７０は、装飾本体２０から離脱した状態で交換作業を行うことができるため、交換作業をより一層容易に行うことができる。
【００５０】
そして、古い副装飾体７０を装飾本体２０から取り外して収容開口部２１Ａを開放し、新しい機種に対応したデザインの副装飾体を装飾本体２０の収容開口部２１Ａを塞ぐように組み付けることができる。このように、操作部材Ｔを装飾本体２０の操作口２４に挿入して係止手段５０に作用を及ぼすのみの操作を行なえばよく、前枠５の開閉なども不要であり、前枠５が開いた不安定な状態での作業も必要なくなる。そのため、簡易な操作で係止手段５０を係止位置から解除位置に変位させることができ、容易に副装飾体７０を装飾本体２０から取り外すことができる。したがって、操作スイッチ１０は、簡易な操作で遊技機１のイメージに合わせて所望の装飾状態に変更することができる。新しい副装飾体は、取り外した副装飾体７０と同じように係止手段５０が係止する係止孔７１Ｄ及び係止段部７１Ｅ等の係止部を備えていればよく、特に、カバー体７２は立体形状も変更可能であり、新しい機種に対応した立体的なデザインにすることができる。つまり、装飾本体２０側の係止手段５０との係合関係を変えなければ、副装飾体７０の形状は自由に変化させることができる。
【００５１】
また、副装飾体７０は、装飾状態を変更する際に、副装飾体の一部を構成する装飾体７３のみを交換するだけでも操作スイッチ１０のデザインを変更することができる。そのため、交換点数の削減が可能であり、装飾状態の変更を容易に行うことができる。
【００５２】
また、図８に示すように、装飾本体２０の操作口２４（操作開口部２５）を閉塞部材８０によって閉塞するようにしてもよい。閉塞部材８０は、操作開口部２５を閉塞する閉塞部８１及び操作開口部２５に固定する取付部８２を備えている。閉塞部８１は、操作部材Ｔにより破損し得る薄肉部として操作開口部２５と略同形の板部を肉薄に形成している。取付部８２は、略リング状であり、係止部８３が切欠部８４により弾性変形するように形成されている。係止部８３は、取付部８２の端部（閉塞部８１とは反対側の端部）において操作開口部２５の内側開口端に係止するように外側に向かって突出している。切欠部８４は、閉塞部８１の厚さ方向に沿って取付部８２を切り欠いて形成されている。閉塞部材８０は、閉塞部８１と係止部８３とによって操作開口部２５を挟むようにして取り付けられ、操作口２４を閉塞している。
【００５３】
副装飾体７０の交換時には、図８に示すように、操作部材Ｔを閉塞部材８０に押し付けて肉薄の閉塞部８１を破損させ、閉塞部材８０による操作口２４（操作開口部２５）の閉塞を解除して、開口した操作開口部２５を介して操作口２４に操作部材Ｔを挿入する。あとは、上述した実施の形態のように係止手段５０に作用を及ぼして、容易に副装飾体７０の取り外しを行うことができる。このように、操作口２４を閉塞部材８０で閉塞することで、操作口２４を隠蔽し、操作口２４に悪戯したり副装飾体７０の交換目的以外で操作口２４に操作部材Ｔを挿入して係止手段５０の解除操作が行われて、不正に副装飾体７０が装飾本体２０から取り外されることを防ぐことができる。また、不正操作によって閉塞部材８０が破損させられた場合には、閉塞部材８０の破損状態を確認することで、何等かの不正操作が行われたことを瞬時に把握することができる。副装飾体７０の交換後には、破損した閉塞部材８０を取り除き、新しい閉塞部材８０を操作開口部２５に装着することで、操作開口部２５を閉塞して操作口２４を隠蔽することができる。
【００５４】
（第１実施形態の主な効果）
本第１実施形態の操作スイッチ１０は、装飾本体２０に可動自在に組み付けられる係止手段５０が、係止位置で副装飾体７０に係止する。また、引張りばね６０は、係止手段５０を解除位置から係止位置に向かう方向に付勢する。そのため、副装飾体７０は、係止手段５０を介して装飾本体２０に安定して組み付けられる。一方で、操作部材Ｔの操作によって、係止手段５０を引張りばね６０による付勢に抗して係止位置から解除位置に変位させて、係止手段５０の副装飾体７０への係止を解除することができる。そのため、副装飾体７０を装飾本体２０から取り外し、異なるデザインの副装飾体７０を新たに装飾本体２０に組み付けることができる。特に、操作部材Ｔを装飾本体２０の操作口２４に挿入して係止手段５０に作用を及ぼすのみで、係止手段５０を係止位置から解除位置に変位させることができるため、容易に副装飾体７０を装飾本体２０から取り外すことができる。したがって、操作スイッチ１０は、簡易な操作で所望の装飾状態に変更することができる。
【００５５】
また、係止手段５０は、係止位置から解除位置に変位する際に、副装飾体７０に接触して副装飾体７０を装飾本体２０から離脱する方向に誘導する補助部５７，５８を有する。
これによれば、係止手段５０を係止位置から解除位置に変位させて副装飾体７０を装飾本体２０から取り外す際に、補助部５７，５８が副装飾体７０に接触して、副装飾体７０が装飾本体２０から離脱する方向に誘導させることができる。そのため、副装飾体７０は、装飾本体２０から離脱した状態で交換作業を行うことができるため、より一層容易に交換作業を行うことができる。
【００５６】
また、操作スイッチ１０は、操作口２４を閉塞する閉塞部材８０を備えている。
これによれば、操作口２４の操作開口部２５を閉塞部材８０で閉塞することで、操作口２４を隠蔽し、操作口２４に悪戯したり、副装飾体７０の交換目的以外などで操作部材Ｔ等を操作口２４に挿入したりして係止手段５０の解除操作が行われて、不正に副装飾体７０が装飾本体２０から取り外されることを防ぐことができる。
【００５７】
また、閉塞部材８０は、操作部材Ｔにより破損し得る薄肉部を備えている。
これによれば、不正操作ではない通常の副装飾体７０の交換時には、閉塞部材８０を破損させ易く、操作部材Ｔを操作口２４に容易に挿入して係止手段５０に作用を及ぼして、容易に副装飾体７０の取り外しを行うことができる。一方で、不正操作によって閉塞部材８０が破損させられた場合には、閉塞部材８０の破損状態を確認することで、不正操作が行われたことを瞬時に把握することができる。
【００５８】
また、装飾本体２０は、副装飾体７０によって閉塞される外側に開放された収容開口部２１Ａが形成された収容部２０Ａを有している。副装飾体７０は、係止手段５０が係止位置に位置するときに収容開口部２１Ａを閉塞し、係止手段５０が解除位置に位置するときに、収容開口部２１Ａを開放する。
これによれば、装飾本体２０に組み付けられた副装飾体７０によって収容部２０Ａの収容開口部２１Ａを閉塞することができるため、収容開口部２１Ａを閉塞するために別途部材を設ける必要がなく、部材点数を削減することができる。
【００５９】
また、副装飾体７０は、収容部２０Ａに少なくとも一部が収容されている。
これによれば、操作スイッチ１０は、副装飾体７０の一部が収容部２０Ａの内部に収容されることで、装飾本体２０の内部を利用した装飾が可能になる。
【００６０】
また、副装飾体７０は、係止手段５０が係止する副装飾本体７１と、副装飾本体７１に係合するカバー体７２と、副装飾本体７１とカバー体７２とによって挟持される装飾体７３と、を有している。
これによれば、装飾状態を変更する際に、副装飾体７０の一部を構成する装飾体７３のみを交換するだけで操作スイッチ１０のデザインを変更することができる。そのため、交換点数の削減が可能であり、装飾状態の変更を容易に行うことができる。
【００６１】
[第２実施形態]
次に、第２実施形態について説明する。
第２実施形態の装飾装置は、装飾パネル１１０として構成されている。装飾パネル１１０は、図９に示すように、装飾本体１２０、係止手段１５０、ねじりばね（付勢手段）１６０、及び副装飾体１７０を備えている。装飾本体１２０は、図１に示すように、側面視台形状の薄型の中空箱状に形成され、内部は薄板部材（例えば後述する装飾体１７３）を収容する収容部１２０Ａとして外側（上方）に開放された収容開口部１２１Ａが形成されている。装飾本体１２０は、図９に示すように、側面に窓部１２１（図１参照）が形成され、透光性を有する板状部材を介して収容部１２０Ａの内部を外部から視認可能となっている。前面側の上部には係止手段１５０を操作するための操作口１２４が形成されている。収容開口部１２１Ａは、図９に示すように、装飾本体１２０の上面において長方形状で開口している。収容開口部１２１Ａの内縁部における後方側部分には、後方に凹む凹部１２１Ｂが形成されている。操作口１２４は、装飾本体１２０において前側の外面から後述する係止手段１５０に向かって、前後方向に貫通して、外側（前方）に開放された操作開口部１２５が形成されている。操作口１２４（操作開口部１２５）は、不正操作を防止するために、閉塞部材として例えば操作部材Ｔにより破損し得るシール部材（装飾シール）を張り付けること等によって封止されていてもよい。操作口１２４の内開口端の上縁部には、操作部材Ｔのガイドとなる後方且つ下方に延出するガイド延出部１２４Ａが形成されている。
【００６２】
係止手段１５０は、図９に示すように、装飾本体１２０の収容開口部１２１Ａの近傍であり、操作口１２４に対向して可動（回動）自在に組み付けられている。係止手段１５０は、副装飾体１７０に係止する係止位置と、副装飾体１７０への係止を解除する解除位置と、に変位可能に構成されている。係止手段１５０は、長尺状であり、略中央部の軸支部１５６を介して、一方（下方）に操作部材Ｔに操作される作用部１５２が形成され、他方（上方）に係止部１５３及び補助部１５４が形成されている。作用部１５２の下端には操作口１２４側に突出する突起部１５７が形成され、操作部材Ｔが操作中に作用部１５２から外れないようにするガイドの役割を成している。係止部１５３は、上端部において後方に突出する鉤状に形成している。補助部１５４は、軸支部１５６から係止部１５３と枝分かれするように後方に延出している。また、係止部１５３と補助部１５４の分岐部には、ねじりばね１６０の一端が係止する規制部１５５が左右方向に突出形成されている。
【００６３】
係止手段１５０は、図９に示すように、作用部１５２が操作口１２４に対向するように、装飾本体１２０に左右方向に設けられる軸部１５１に軸支部１５６を挿通して前後方向に回動自在に軸支している。また、付勢手段としてのねじりばね１６０は、軸部１５１に巻装され、一端がガイド延出部１２４Ａに当接し、他端が規制部１５５に当接して、図９（Ａ）に示すように、常態で係止手段１５０が副装飾体１７０（カバー体１７２）に係止する係止位置に位置するように付勢している。
【００６４】
副装飾体１７０は、図９に示すように、カバー体１７２及び装飾体１７３を備えている。カバー体１７２は、長板状であり、収容開口部１２１Ａと略同じ大きさの上板部１７２Ａと、上板部１７２Ａの前端部から下方に延出する側壁部１７２Ｂと、上板部１７２Ａの後端部において段差状に形成される段差部１７２Ｄを備えている。側壁部１７２Ｂには、係止部１５３が係止する貫通孔１７２Ｃが前後方向に貫通して形成されている。装飾体１７３は、装飾本体１２０の窓部１２１と略同じ大きさのパネル部材として構成され、遊技機１に関連する装飾意匠が施されている。
【００６５】
装飾パネル１１０は、装飾本体１２０に装飾体１７３が収容され、収容開口部１２１Ａはカバー体１７２により閉塞している。具体的には、カバー体１７２は、段差部１７２Ｄが凹部１２１Ｂに嵌まり込みつつ、係止手段１５０がねじりばね１６０に付勢され、係止部１５３が側壁部１７２Ｂの貫通孔１７２Ｃに係止している。
【００６６】
装飾本体１２０から装飾体１７３を取り出すには、図９（Ａ）に示すように、操作部材Ｔで操作口１２４を隠蔽するシール部材等を破損させつつ操作口１２４に操作部材Ｔを挿入する。そして、図９（Ｂ）に示すように、操作部材Ｔによって係止手段１５０の作用部１５２を押圧して回動させることで、係止手段１５０は、ねじりばね１６０による付勢に抗して係止位置から解除位置に変位する。係止手段１５０が解除位置に変位することで、係止部１５３が貫通孔１７２Ｃとの係止が解除される。係止手段１５０が係止位置から解除位置に変位する際に、補助部１５４は、カバー体１７２の側壁部１７２Ｂの下端を上方に押圧する。これにより、カバー体１７２は、前端部が収容開口部１２１Ａから上方に移動するように誘導されため、収容開口部１２１Ａから取り外し易くなる。そして、カバー体１７２の前端を持ち上げて、後端の段差部１７２Ｄを凹部１２１Ｂから外して、装飾本体１２０から取り外し、収容部１２０Ａから装飾体１７３を取り出すことができ、異なるデザインの装飾体１７３を装飾本体１２０の収容部１２０Ａに収容することで、新たな機種に対応した装飾パネル１１０に組み替えることができる。このように、操作部材Ｔを装飾本体１２０の操作口１２４に挿入して係止手段１５０に作用を及ぼすのみの操作を行なえばよく、簡易な操作で遊技機１のイメージに合わせて所望の装飾状態に変更することができる。なお、係止手段１５０で係止されるカバー体１７２も係止手段１５０が係止する貫通孔１７２Ｃ及び凹部１２１Ｂに嵌まる段差部１７２Ｄ等の係止状態を変えなければよく、上板部１７２Ａの形状も立体に変更可能であり、新しい機種に対応した立体的なデザインにすることができる。つまり、装飾本体１２０側の係止手段１５０との係合関係を変えなければ、副装飾体１７０の形状を自由に変化させることができる。
【００６７】
（第２実施形態の主な効果）
本第２実施形態の装飾パネル１１０は、装飾本体１２０に可動自在に組み付けられる係止手段１５０が、係止位置で副装飾体１７０に係止する。また、ねじりばね１６０は、係止手段１５０を解除位置から係止位置に向かう方向に付勢する。そのため、副装飾体１７０は、係止手段１５０を介して装飾本体１２０に安定して組み付けられる。一方で、操作部材Ｔの操作によって、係止手段１５０をねじりばね１６０による付勢に抗して係止位置から解除位置に変位させて、係止手段１５０の副装飾体１７０への係止を解除することができる。そのため、副装飾体１７０を装飾本体１２０から取り外し、異なるデザインの副装飾体１７０を新たに装飾本体１２０に組み付けることができる。特に、操作部材Ｔを装飾本体１２０の操作口１２４に挿入して係止手段１５０に作用を及ぼすのみで、係止手段１５０を係止位置から解除位置に変位させることができるため、容易に副装飾体１７０を装飾本体１２０から取り外すことができる。したがって、装飾パネル１１０は、簡易な操作で所望の装飾状態に変更することができる。
【００６８】
また、係止手段１５０は、係止位置から解除位置に変位する際に、副装飾体１７０に接触して副装飾体１７０を装飾本体１２０から離脱する方向に誘導する補助部１５４を有する。
これによれば、係止手段１５０を係止位置から解除位置に変位させて副装飾体１７０を装飾本体１２０から取り外す際に、補助部１５４を副装飾体１７０に接触させて装飾本体１２０から離脱する方向に誘導させることができる。そのため、副装飾体１７０は、装飾本体１２０から離脱した状態で交換作業を行うことができるため、より一層容易に交換作業を行うことができる。
【００６９】
また、装飾本体１２０は、副装飾体１７０によって閉塞される外側に開放された収容開口部１２１Ａが形成された収容部１２０Ａを有している。副装飾体１７０は、係止手段１５０が係止位置に位置するときに収容開口部１２１Ａを閉塞し、係止手段１５０が解除位置に位置するときに、収容開口部１２１Ａを開放する。
これによれば、装飾本体１２０に組み付けられた副装飾体１７０によって収容部１２０Ａの収容開口部１２１Ａを閉塞することができるため、収容開口部１２１Ａを閉塞するために別途部材を設ける必要がなく、部材点数を削減することができる。
【００７０】
また、副装飾体１７０は、収容部１２０Ａに一部（装飾体１７３）が収容されている。
これによれば、装飾パネル１１０は、副装飾体１７０の一部（装飾体１７３）が収容部１２０Ａの内部に収容されることで、装飾本体２０の内部を利用した装飾が可能になる。
【００７１】
［他の実施形態]
本発明は上記記述及び図面によって説明した実施形態に限定されるものではなく、例えば次のような実施形態も本発明の技術的範囲に含まれる。
【００７２】
上述した実施形態において、操作スイッチ１０は、押圧式及びレバー式を備えた傾動可能なスイッチである構成を例示したが、傾動しない押圧式スイッチであってもよい。
【００７３】
上述した実施形態において、操作口２４は、把持部２１の前端部の下面から係止手段５０に向かって延びるように形成されていたが、操作部材Ｔによって係止手段５０に作用を及ぼすことが可能であれば、その他の箇所に形成されていてもよい。
【００７４】
上述した実施形態において、副装飾体７０は、副装飾本体７１、カバー体７２、及び装飾体７３によって構成されていたが、これらが一体化した一部品として構成されていてもよい。また、カバー体７２に装飾が施される構成であってもよい。また、装飾体７３は、は、３次元的な装飾を施される構成を例示したが、２次元的な装飾（模様や図形の描写など）を施してもよい。
【００７５】
また、装飾装置として操作スイッチ１０及び装飾パネル１１０を実施例として示したが、本体枠２の前面側に設けられ、外部から視認可能である球受皿６，発射ハンドル８，装飾ランプ９においても適用可能であり、係止手段を介して副装飾体を装飾本体に係止する構成を採用し、装飾本体に形成する操作口から操作部材Ｔを挿通して係止手段を操作して、副装飾体を取り外すようにしてもよい。このとき、遊技機の装飾の大部分を占める球受皿６，装飾ランプ９のように副装飾体（装飾カバー体、装飾レンズ部材）が大きい場合には、係止手段を複数備えて、その係止手段に対応して操作口を開口するようにするのが好ましい。また、実施の形態では装飾本体の収容開口部を上方に開口するようにしたが、例えば前方に開口するようにしてもよく、方向に限定されることはない。特に装飾レンズ部材が前方に大きく突出する装飾ランプ９を装飾装置とした場合には、前枠５に取付けられる装飾本体に前方に開口する収容部（収容開口部）を備え、その収容部に設けられる係止手段に副装飾体としての装飾レンズ部材を収容係止することで、収容開口部を閉塞するようにしてもよい。このように、遊技機の装飾の占める割合の高い部位の副装飾体を係止手段の係脱により交換ができるため、容易に新しい機種へのイメージに合致した遊技機（枠体）とすることができる。
【符号の説明】
【００７６】
１…遊技機
２…本体枠
１０…操作スイッチ（装飾装置）
２０，１２０…装飾本体
２０Ａ，１２０Ａ…収容部
２１Ａ，１２１Ａ…収容開口部
２４，１２４…操作口
２５，１２５…操作開口部
５０，１５０…係止手段
５７，５８，１５４…補助部
６０…引張りばね（付勢手段）
７０，１７０…副装飾体
７１…副装飾本体
７２…カバー体
７３…装飾体
８０…閉塞部材
８１…閉塞部（薄肉部）
１１０…装飾パネル（装飾装置）
１６０…ねじりばね（付勢手段）
Ｔ…操作部材
【図１】
2020000593.tif 000003
【図２】
2020000593.tif 000004
【図３】
2020000593.tif 000005
【図４】
2020000593.tif 000006
【図５】
2020000593.tif 000007
【図６】
2020000593.tif 000008
【図７】
2020000593.tif 000009
【図８】
2020000593.tif 000010
【図９】
2020000593.tif 000011